(57)【要約】【課題】独立した第１、第２のエレベーターグループがあるとき、エレベーター全体としてのサービス性を向上させ、運転効率を向上させること。【解決手段】第１グループのサービスが著しく低下した場合には、第２グループに応援要請を行うと同時に、同一階床でのホール呼びの登録が重複しないように群管理間通信路４で連系する。【効果】利用客は、均一なサービスを受けることができるとともに、無駄な運転を減らすことができるので、全体としての効率が向上する。【選択図】　図１
2004051284.tif 000002
【特許請求の範囲】
【請求項１】
それぞれが１〜複数台のエレベーターを含む複数のエレベーターグループと、これら複数のエレベーターグループ毎に独立して各階に配置されたホール呼び装置と、各グループ毎に独立した呼び応答制御装置とを備えたエレベーターの群管理制御装置において、自グループ内で発生したホール呼びを自グループのエレベーターでサービスするとき、その旨を他グループへ伝達する手段を備えたことを特徴とするエレベーターの群管理制御装置。
【請求項２】
それぞれが１〜複数台のエレベーターを含む複数のエレベーターグループと、これら複数のエレベーターグループ毎に独立して各階に配置されたホール呼び装置と、各グループ毎に独立した呼び応答制御装置とを備えたエレベーターの群管理制御装置において、発生したホール呼びを他グループのエレベーターでサービスする旨の信号を受取ったとき、自グループ内の対応するホール呼び応答灯を点灯する手段を備えたことを特徴とするエレベーターの群管理制御装置。
【請求項３】
それぞれが１〜複数台のエレベーターを含む複数のエレベーターグループと、これら複数のエレベーターグループ毎に独立して各階に配置されたホール呼び装置と、各グループ毎に独立した呼び応答制御装置とを備えたエレベーターの群管理制御装置において、他グループのエレベーターでホール呼びにサービスする旨の信号を受取ったとき、自グループ内での対応するホール呼びの登録を阻止する手段を備えたことを特徴とするエレベーターの群管理制御装置。
【請求項４】
それぞれが１〜複数台のエレベーターを含む複数のエレベーターグループと、これら複数のエレベーターグループ毎に独立して各階に配置されたホール呼び装置と、各グループ毎に独立した呼び応答制御装置とを備えたエレベーターの群管理制御装置において、各グループ毎に設けられ、他グループから、発生したホール呼びを他グループのエレベーターでサービスする旨の信号を受取ったとき、自グループ内の対応するホール呼び応答灯を点灯する手段と、自グループ内でのホール呼びの登録を阻止する手段を備えたことを特徴とするエレベーターの群管理制御装置。
【請求項５】
それぞれが１〜複数台のエレベーターを含む複数のエレベーターグループと、これら複数のエレベーターグループ毎に独立して各階に配置されたホール呼び装置と、これら各グループ毎に独立した呼び応答制御装置とを備えたエレベーターの群管理制御装置において、自グループ内で応答灯を点灯中のホール呼びの乗車階に他グループのエレベーターが到着した旨の到着信号を他グループから受取ったとき、前記応答灯を消灯させる手段を備えたことを特徴とするエレベーターの群管理制御装置。
【請求項６】
それぞれが１〜複数台のエレベーターを含む複数のエレベーターグループと、これら複数のエレベーターグループ毎に独立して各階に配置されたホール呼び装置と、これら各グループ毎に独立した呼び応答制御装置とを備えたエレベーターの群管理制御装置において、各グループ毎に設けられ、自グループ内で登録中のホール呼びの乗車階に他グループのエレベーターが到着した旨の到着信号を他グループから受取ったとき、前記ホール呼びをリセットする手段を備えたことを特徴とするエレベーターの群管理制御装置。
【請求項７】
それぞれが１〜複数台のエレベーターを含む複数のエレベーターグループと、これら複数のエレベーターグループ毎に独立して各階に配置されたホール呼び装置と、これら各グループ毎に独立した呼び応答制御装置とを備えたエレベーターの群管理制御装置において、他グループから発生したホール呼びをサービスする旨の信号を受信したとき、自グループのホール呼び応答灯を点灯させる手段と、他グループから前記ホール呼びの発生階へのエレベーターの到着信号を受信したとき前記応答灯を消灯させる手段を備えたことを特徴とするエレベーターの群管理制御装置。
【請求項８】
それぞれが１〜複数台のエレベーターを含む複数のエレベーターグループと、これら複数のエレベーターグループ毎に独立して各階に配置されたホール呼び装置と、これら各グループ毎に独立した呼び応答制御装置とを備えたエレベーターの群管理制御装置において、同一階の同一方向のホール呼びの発生に対して、２つのグループが、自グループ内でサービスすべきホール呼びとして登録することを阻止する手段を備えたことを特徴とするエレベーターの群管理制御装置。
【請求項９】
それぞれが１〜複数台のエレベーターを含む複数のエレベーターグループと、これら複数のエレベーターグループ毎に独立して各階に配置されたホール呼び装置と、各グループ毎に独立した呼び応答制御装置とを備えたエレベーターの群管理制御装置において、各グループ毎に設けられ、自グループ内で発生したホール呼びに対し、他グループから対応するホール呼びにサービスする旨の信号が得られないとき自グループ内でサービスすべきホール呼びとして登録する手段を備えたことを特徴とするエレベーターの群管理制御装置。
【請求項１０】
それぞれが１〜複数台のエレベーターを含む複数のエレベーターグループと、これら複数のエレベーターグループ毎に独立して各階に配置されたホール呼び装置と、各グループ毎に独立した呼び応答制御装置とを備えたエレベーターの群管理制御装置において、各グループ毎に設けられ発生したホール呼びに対するサービス評価値を算出する手段と、このサービス評価値に応じて他グループの前記呼び応答制御装置へ当該ホール呼びを伝達する手段とを備えたことを特徴とするエレベーターの群管理制御装置。
【請求項１１】
それぞれが１〜複数台のエレベーターを含む複数のエレベーターグループと、これら複数のエレベーターグループ毎に独立して各階に配置されたホール呼び装置と、各グループ毎に独立した呼び応答制御装置とを備えたエレベーターの群管理制御装置において、各グループ毎に設けられ、自グループ内で発生したホール呼びに対するサービス評価値を算出する手段と、このサービス評価値に応じて自グループ内でこのホール呼びを登録することなく、他グループの前記呼び応答制御装置へ当該ホール呼びを伝達する手段とを備えたことを特徴とするエレベーターの群管理制御装置。
【請求項１２】
それぞれが１〜複数台のエレベーターを含む複数のエレベーターグループと、これら複数のエレベーターグループ毎に独立して各階に配置されたホール呼び装置と、各グループ毎に独立した呼び応答制御装置とを備えたエレベーターの群管理制御装置において、各グループ毎に設けられ発生したホール呼びに対するサービス評価値を算出する手段と、このサービス評価値が第１の範囲にあるとき、他グループの前記呼び応答制御装置へ当該ホール呼びを伝達するとともに、自グループ内のエレベーターに前記ホール呼びを割当てる手段を備えたことを特徴とするエレベーターの群管理制御装置。
【請求項１３】
それぞれが１〜複数台のエレベーターを含む複数のエレベーターグループと、これら複数のエレベーターグループ毎に独立して各階に配置されたホール呼び装置と、各グループ毎に独立した呼び応答制御装置とを備えたエレベーターの群管理制御装置において、各グループ毎に設けられ発生したホール呼びに対するサービス評価値を算出する手段と、このサービス評価値が第１の範囲にあるとき、他グループの前記呼び応答制御装置へ当該ホール呼びを伝達するとともに、自グループ内のエレベーターに前記ホール呼びを割当てる手段と、前記サービス評価値が第２の範囲にあるとき、自グループ内のエレベーターへ前記ホール呼びを割当てることなく、他グループの前記呼び応答制御装置へ当該ホール呼びを伝達する手段を備えたことを特徴とするエレベーターの群管理制御装置。
【請求項１４】
請求項９〜１３のいずれかにおいて、前記サービス評価値は、エレベーターが到着するまでに要する予測待時間の要素を含むことを特徴とするエレベーターの群管理制御装置。
【発明の詳細な説明】
【０００１】
【発明の属する技術分野】
本発明は、互いに独立してホール呼び装置と呼び応答制御装置を備えた複数のグループからなるエレベーターの群管理制御装置に関する。
【０００２】
【従来の技術】
複数のエレベーターが設置されているビルで、エレベーターの予測待時間が所定値を超えたとき、サービスの低下を防ぐために、次のような技術がある。
【０００３】
第１に、特開昭５５−２６１０３号公報では、予測待時間が所定値を超えたときは、エレベーターを追加割当てする技術が開示されている。
【０００４】
第２に、特開平５−１１６８５２号公報には、ＶＩＰホール呼びに関し、特定のＶＩＰ応答用エレベーターでは長待ちが予測されるとき、設置位置が近く、応答時間の短い他のエレベーターに割当てる技術が開示されている。
【０００５】
【発明が解決しようとする課題】
大規模ビルに複数のエレベーターメーカーから、多数のエレベーターが納入されることがある。この場合、各社それぞれで群管理制御を行っている。エレベーターの群管理制御システムは、エレベーター制御装置とのホール呼びインタフェース機能やドア開時間調整機能などの各種制御機能の分担構成方法やエレベーター制御装置相互間の伝送方法が各メーカで異なる。このため、通常、群管理制御は、同一メーカーのエレベーターグループ内でしか実現できない。即ち、一つの群管理制御装置で複数の異なるメーカーのエレベーターを直接管理制御することはできない。
【０００６】
また、上記の第１、第２従来技術は、いずれも、同一グループ内でのサービス向上を目指したものである。但し、ＶＩＰ呼びに限っては、互いに独立してホール呼び装置と呼び応答制御装置を備えていると言えるが、これをそのまま、独立した複数グループのエレベーター群に適用することはできない。
【０００７】
それぞれ独立にホール呼び登録・応答制御を行っているグループが隣接している場合、各グループの同一階床・同一方向のホール呼びが発生すると、両群でエレベーターが呼寄せられ、全体としてサービス性を損ない、運転効率を悪化させる。
【０００８】
本発明の目的は、互いに独立してホール呼び装置と呼び応答制御装置を備えた複数のグループからなるエレベーターの群管理制御装置において、エレベーター全体としてのサービス性を向上させ、運転効率を向上させることである。
【０００９】
【課題を解決するための手段】
本発明はその一面において、自グループ内で発生したホール呼びを自グループのエレベーターでサービスするとき、その旨を他グループへ伝達する。
【００１０】
本発明は他の一面において、発生したホール呼びを他グループのエレベーターでサービスする旨の信号を受取ったとき、自グループ内の対応するホール呼び応答灯を点灯する。
【００１１】
本発明はまた他の一面において、他グループのエレベーターでホール呼びにサービスする旨の信号を受取ったとき、自グループ内での対応するホール呼びの登録を阻止する。
【００１２】
本発明はさらに他の一面において、自グループ内で応答灯を点灯中のホール呼びの乗車階に他グループのエレベーターが到着した旨の到着信号を他グループから受取ったとき、前記応答灯を消灯させる。
【００１３】
本発明はさらにまた他の一面において、同一階の同一方向のホール呼びの発生に対して、自グループ内でサービスすべきホール呼びとして、２つのグループが重複して登録することを阻止する。
【００１４】
本発明は、他の一面において、各エレベーター毎のサービス評価値を算出する手段と、上記サービス評価値が所定値を超えたと判断されるときに、同一階床をサービスする他グループへ当該ホール呼びに対するサービス要請を出力する。
【００１５】
これらにより、互いに独立してホール呼び装置と呼び応答制御装置を備えた複数のグループからなるエレベーターの群管理制御装置において、エレベーター全体としてのサービス性を向上させ、運転効率を向上させる。
【００１６】
本発明のその他の目的及び特徴は、以下の実施例の説明で明らかにする。
【００１７】
【発明の実施の形態】
以下、本発明の一実施例を図面により説明する。
【００１８】
図１は、本発明の一実施例によるエレベーターの群管理制御装置の全体構成図である。ここでは、１〜３号機エレベーターを第１グループとしてエレベーターメーカＡ社が担当し、４〜６号機エレベーターを第２グループとしてエレベーターメーカＢ社が担当した場合について説明する。１〜３号機の号機制御装置１１〜１３の情報は、群管理伝送路２１を介して群管理制御装置３１に送られる。同様に、４〜６号機の号機制御装置１４〜１６の情報は、群管理伝送路２２を介して群管理制御装置３２に送られる。また、これらの群管理制御装置３１と３２は、群管理間通信路４にて繋がっている。図１では、直接、群管理制御装置同士で繋がっているが、エレベーター監視盤などを介して情報のやりとりを行ってもよい。
【００１９】
図２は、本発明の一実施例によるエレベーターホールのレイアウト説明図である。本実施例は、図に示すように、それぞれ３台ずつの群管理エレベーターが向き合わせに２グループ存在する場合である。勿論、３グループ以上であっても同様である。ホールには、第１グループ用のホール呼び装置（釦）５１と第２グループ用のホール呼び装置（釦）５２とが独立して配置されている。
【００２０】
図３は、本発明の一実施例によるエレベーターの群管理制御装置の機能ブロック図である。１〜ｎ階のホール呼び釦５１１〜５１ｎの情報は、ホール呼び情報伝送路６を介して、また号機制御装置１１〜１３の号機情報は、群管理伝送路２１を介して、群管理制御装置３１に送られる。群管理制御装置３１は、ホール呼び５１にサービスするエレベーターを決定し、該当するサービスエレベーターの号機制御装置１１〜１３に、割当て情報を伝送する。ホール呼び情報は、ホール呼び収集手段３１１に集められ、ホール呼び登録手段３１２に送られる。ホール呼び登録手段３１２では、ホール呼び収集手段３１１から得られる自グループのホール呼び情報と、受信手段３１３を通じて第２グループ（Ｂ社）の群管理制御装置３２より第２グループのホール呼び情報を入力する。そして、これらの情報から、自グループ内でのホール呼び登録の必要性の有無判定、およびホール呼び登録制御を行う。後述するように、他のグループで、サービスすべきホール呼びとして登録されているホール呼びと対応するホール呼びは、登録することなく、応答灯のみを点灯させる。
【００２１】
さて、かご情報収集手段３１４からの自グループのエレベーター到着情報と、受信手段３１３を介して得られる他（第２）グループのエレベーター到着情報を基に、ホール呼びリセット手段３１５にてホール呼び登録のリセット制御を行う。ホール呼びに応答させるエレベーターを選択する号機選択手段３１６では、ホール呼びに対する割当てエレベーターを決定し、割当てテーブル３１７に書き込む。この決定に際して、ホール呼び登録手段３１２からのホール呼び情報、かご情報収集手段３１４からの自グループ号機情報、及びホール呼びリセット手段３１５からのホール呼び登録リセット情報を参照する。割当てテーブル３１７に書き込まれた情報と、ホール呼びリセット手段３１５のリセット情報は、送信手段３１８を介して、第２グループの群管理制御装置３２へ送信される。
【００２２】
第２グループの群管理制御装置３２も、上記と同様に第２グループのエレベーターを群管理制御する。
【００２３】
上記のように、ホール呼び釦５１１〜５１Ｎは、応答灯付きであり、当グループのホール呼び登録手段３１２での登録データにより点灯する。また、第２グループからのホール呼び登録宣言信号を受信手段３１３で受取った場合にも、応答灯点灯信号を伝送路６を介して出力する。
【００２４】
全てのグループでこのように構成した場合には、通常のエレベーター群管理システムと同様に、並設されたホール呼び釦５１又は５２のいずれを押しても、全てのグループのホール呼び釦の応答灯を点灯させることができる。また、一部のグループに上記構成を採用した場合にも、相応の効果が得られる。
【００２５】
図４は、本発明の一実施例によるホール呼び登録処理フローチャートである。これは、図３に示すホール呼び登録手段３１２の具体的一実施例を示すフローチャートであり、例えば４０［ｍｓ］毎のように、定期的に起動される。
【００２６】
ステップ４０１と４０９にて、方向ｊ＝ＵＰホール呼びとＤＯＷＮ（以下ＤＮと略記する）ホール呼びに対して、ホール呼び登録処理を行うステップ４０３〜４０７までを繰返し実行させる。また同様に、ステップ４０２と４０８にて、１階〜１６階までの各階のホール呼びに対するホール呼び登録処理を行うステップ４０３〜４０７までを繰返し実行させる。
【００２７】
ここでは図示しないが、車椅子専用ホール呼びなどがある場合は、更にホール呼びの種類を変えて繰返し処理を追加することで対応できる。
【００２８】
ステップ４０３では、▲１▼自グループ内に、当該方向ｊ、階床ｉのホール呼びが発生しているかについて、情報収集手段３１１により作成したホール呼び入力データ（図示省略）があるかを判断する。また、▲２▼他グループから、当該ホール呼びに対するサービス要請が来ていないか…をも判断する。ステップ４０４では、他グループでサービスすることが決定済みのホール呼びでないかを判断する。すなわち、受信手段３１３から、後述するホール呼び割当て宣言信号を受信していないかを判断する。他グループからの割当て宣言信号を受信していれば、ステップ４０５に進んで、自グループ内の該当するホール呼び釦の応答灯を点灯するとともに、自グループでのサービスすべきホール呼びとしての登録を禁止する。
【００２９】
他グループからの割当て宣言信号を受信していなければ、ステップ４０６で、今度は自グループで、このホール呼びがサービスすべきホール呼びとして登録済みでないかを判定する。ここでも登録されていない場合に初めて、ステップ４０７にて、第１グループ内でサービスすべきホール呼びとして登録し応答灯を点灯し、自グループ内の最適エレベーターに割当てるとともに、他グループへ割当て宣言信号を送信する。
【００３０】
以上により、自グループ内のホール呼び釦が押されたとき、全グループで対応するホール呼びのサービスが予定されていないときのみ、自グループ内でサービスすべきホール呼びとしての新規登録を行う。ステップ４０７中の、ホール呼び割当て、及び他のグループに対するホール呼びサービス（割当て）宣言信号の送信の詳細については後述する。
【００３１】
以上のステップ４０３〜４０７のホール呼び登録処理を全階、方向別に繰返して実施する。
【００３２】
図５は、本発明の一実施例によるホール呼びリセット処理のフローチャートである。これは、図３のホール呼びリセット手段３１５の具体的一実施例を示すフローチャートであり、定期的に起動する他、エレベーター到着時に追加起動することでも良い。
【００３３】
ステップ５０１と５１１にて、方向ｊ＝ＵＰホール呼びとＤＯＷＮホール呼びについて、ホール呼び登録のリセット処理を行うステップ５０４〜５０９を繰返し実行する。同様に、ステップ５０２と５１０にて、１階〜１６階までの全階でのホール呼びに対するホール呼び登録のリセット処理を行うステップ５０４〜５０９を繰返し実行する。また、ステップ５０３と５０７で、ステップ５０４〜５０６での自グループ内のすべてのエレベーターの到着をチェックし、ホール呼び登録リセット処理ができるように、繰返し処理を行う。
【００３４】
さて、ステップ５０４では、エレベーターＫがｊ方向でｉ階へ到着したかを判定し、到着した場合（ＹＥＳ）には、ステップ５０５で自グループ内のホール呼びをリセットする。また、ステップ５０６で、該当ホール呼びへのエレベーターの到着を、他グループへ知らせる。これを受取った他のグループは、重複サービスを減らすために、サービス予定のホール呼びをリセットする。
【００３５】
次に、ステップ５０８では、他のグループからの「エレベーターの到着信号」を受信していないかを判断する。受信していればステップ５０９において、対応する自グループ内のサービス予定ホール呼びをリセットし、応答灯を消灯する。同時に、受信記憶していた他グループからの「ホール呼びサービス（割当て）宣言信号」をリセットする。
【００３６】
図６は、本発明の一実施例によるホール呼び割当て処理フローチャートである。これは、図３の号機選択手段３１６の具体的一実施例を示すフローチャートであり、定期起動の他に、図４のステップ４０７からの要請で速やかに起動するようにし、新規ホール呼び割当て時間の短縮を図ることが望ましい。
【００３７】
ステップ６０１と６１４にて、方向ｊ＝ＵＰホール呼びとＤＮホール呼びについて、ホール呼び応答グループ又は号機選択登録処理を行うステップ６０３〜６１２までのループ処理を実行する。同様に、ステップ６０２と６１３にて、１階〜１６階までの各階でのホール呼びについて、ホール呼び応答グループの判定又は号機選択登録処理を行うステップ６０３〜６１２までのループ処理を実行する。
【００３８】
さて、ステップ６０３で、自グループにサービス予定のホール呼び登録信号があるかを判定し、あればステップ６０４〜６０６で自グループ内の各エレベーターの到着予測時間を含む評価要素を求める。この結果を基に、ステップ６０７で各エレベーターが受持つサービス予定のホール呼びの最大待時間が最小となるエレベーターを選択する。すなわち、長待ち呼びの発生を避け、エレベーターグループとしてサービス性に優れ、運行効率の高い公知の割当て方式を採用している。
【００３９】
ステップ６０８では、上記のようにして選択したエレベーターの待時間又は全体の状況より、ｊ方向ｉ階のホール呼びに対するサービスレベルを判断する。例えば、６０秒に設定した第１レベルをオーバーしたかを判定し、良好（ＮＯ）な場合はステップ６０９で、新規ホール呼びにＫ号機を割当て、割当てテーブル３１７へ格納し、該当号機制御装置１１〜１３のいずれかへ送信する。
【００４０】
ステップ６０８では、新規呼びだけではなく、既にサービス予定エレベーターを割当て済みホール呼びに対しても、その予測待時間を時々刻々と判定している。割当て後にも各エレベーターの運行負荷の変動で予測待時間が変化する可能性がある。これら新規及び割当て済みホール呼びの予測待時間が上記第１のレベルを超えた場合には、まずステップ６１０に進んで、他のグループへ、サービス要請（ＳＯＳ）信号を送信する。サービス要請信号の送信方法は、▲１▼単に、ホール呼びの発生として伝達する、▲２▼ホール呼びへのサービス要請信号として発信する、などが考えられる。
【００４１】
次に、ステップ６１１で、予測待時間を第２のレベル（長待ち９０秒以上や到着時の予測かご内混雑が８０％以上など）と比較する。選択エレベーターでの予測待時間が第１のレベル６０秒を超えたものの、９０秒などの第２のレベル以下であるときは、ステップ６１２で新規ホール呼びに自グループ内のエレベーターも割当てる。この場合には、他のグループでも速やかに割当てが行われる可能性が有り、予約灯を点灯するエレベーターが複数台となるケースも発生する。また、割当て済みホール呼びに対して、ステップ６０７，６０８で、自グループ内に所定レベル以内の予測待時間をもつエレベーターＫ号機が見つかれば、この呼びにＫ号機を再割当て（割当ての変更）する。
【００４２】
ステップ６１１で、第２レベルをも超えていると判定されたときは、今回の周期内での自グループ内エレベーターへの割当てを諦める。そして、自グループ内では、次の周期（例えば５秒後）以降で、割当て処理時に好適なエレベーターが選択できたときに新規割当てを行う。
【００４３】
図７は、本発明の一実施例による動作を説明する割当てテーブルのイメージ図である。図の第２グループ（Ｂ社）の割当てテーブル３１７のイメージでは、第２グループ（Ｂ社）の１階ＵＰ、１５階ＵＰ及び１６階ＤＮホール呼びが発生している状況を示している。１階ＵＰホール呼びに対し４号機を割当て、１５階ＵＰホール呼びに対しては、当該第２グループ内の３台のエレベーター４〜６号機ともに長待ち状態など好ましくない状況にあるため、他グループへサービス要請を送信している。また、１６階ＤＮホール呼びに対しては、５号機に割当てるとともに、他グループへもサービス要請を送信している状況を示している。
【００４４】
図８は、本発明の一実施例による動作を説明するエレベーターホールのイメージ図である。この図は、図７の第２グループの割当てテーブルの状態での、１５階ホールのイメージを示している。第２グループ（Ｂ社）の４，５号機の間のホール呼び釦５２１５のＵＰ側が押下された場合、第１グループ（Ａ社）の群管理制御装置３１に応援要請を出すことにより、第１グループ内の２号機に割当てられた状況を例示している。このようにして、ホール呼びに対し、全エレベーターの中から最適な号機を選んでサービスさせることができる。
【００４５】
図９は、グループ間で送受信し合う伝送フォーマットを示す図である。例えば、あるグループから、１５階のＵＰ呼びを割当て（サービス）宣言信号が発せられれば、これを受けたグループでは、当該ホール呼びに対応する同一階・同一方向のホール呼びをサービスすべき呼びとしての登録やエレベーターの割当ては行わない。一方、サービス要請信号が来ると、当該１５階ＵＰホール呼びへのサービスエレベーターを選択し割当て、該当号機制御装置へ指令する。次に、いずれかのグループで、１５階ＵＰ方向にエレベーターが到着すると、このエレベーターに待客が乗込むことが予想される。したがって、該当するグループの到着信号が他グループへ発せられ、他グループのホール呼びもリセットされ、ホール呼び応答灯を消灯する。
【００４６】
以上、本発明の典型的な実施例について説明したが、これに限定されることはない。例えば、図６のステップ６０８や６１１で、次のような判断で第１、第２レベルオーバー信号を作ることも負荷分担として極めて有効な効果を奏する。すなわち、▲１▼自グループ側全体のサービスレベルが低下している、▲２▼稼動台数が少ない状況にある、▲３▼長待ちホール呼び数が多い、▲４▼登録されている行き先呼びやホール呼びの総数が多い、▲５▼かご内が混雑しているエレベーターが多い…などである。特に、乗場レイアウトの面で、一方のグループのホール呼び釦が押され易い場合には効果が大きい。
【００４７】
また、図３の群管理制御装置３１や３２の機能を１〜６号機の号機制御装置１１〜１６内に持たせ、各グループでの稼働中の代表号機の号機制御装置で、各グループ内の群管理制御を行うように構成することもできる。仮に、４号機が保守点検中とすれば、例えば１号機の号機制御装置１１と、５号機の号機制御装置１５で、夫々のグループ内の群管理制御を行なわせることができる。
【００４８】
更に、同一メーカであっても、納入年度やリニューアル時期により異なる機種が納まると、群管理制御装置３１，３２での直接の制御ができないこともあり、このような場合に本発明を適用できることは言うまでもない。また、複数の異なるメーカの単独エレベーター複数台に対しても、２台以上の並設エレベーターを効率良く運転制御することができる。すなわち、図３の号機選択手段３１６以外の群管理制御装置３１，３２の機能を、図２の各号機制御装置１１〜１６内に盛込み、１台づつグループと見立て、他のグループである他号機との間で、前述同様の連携制御を行うことができる。
【００４９】
図６に示すサービス評価指標のレベルは、第１レベルだけとすることもできるし、逆に３レベル以上とすることもできる。特に、グループ数が多いときは、ホール呼び釦信号、又は相当の信号を受けた号機制御装置又は自己が属するグループ内での待時間やかご内混雑度などのサービスレベルを数値で他のグループへ送る。他のグループでは、それよりも良い条件で応答できるグループから引受けレベル信号をもらうことで応答号機を他のグループ又は他のエレベーターへ譲り、全体の負荷分担の均一化を図る高度な群管理制御構成とすることができる。この場合、図９の伝送フォーマット「ホール呼び割当て宣言信号」を「ホール呼びサービスレベル信号」に、また「サービス要請信号」を「引受けサービスレベル信号」に夫々置き換えることで実現できる。
【００５０】
以上の実施例によれば、複数の独立したエレベーター群があるとき、当該エレベーター群の待時間や混雑度が所定値を上回っても、他の独立したエレベーター群に応援を要請することで、乗客のサービスを向上させることができる。また、同一階におけるホール呼びの登録は、１グループのみとすることにより、重複サービスの無駄と、重複した予約案内による混乱を防止できる。
【００５１】
【発明の効果】
本発明によれば、複数の独立したエレベーター群があるとき、エレベーター全体としてのサービス性を向上させ、運転効率を向上させることができる。
【００５２】
また、重複サービスの無駄と、重複した予約案内による混乱を防止することができる。
【図面の簡単な説明】
【図１】本発明の一実施例によるエレベーターの群管理制御装置の全体構成図。
【図２】本発明の一実施例によるエレベーターホールのレイアウト説明図。
【図３】本発明の一実施例によるエレベーターの群管理制御装置の機能ブロック図。
【図４】本発明の一実施例によるホール呼び登録処理フローチャート。
【図５】本発明の一実施例によるホール呼びリセット処理フローチャート。
【図６】本発明の一実施例によるホール呼び割当て処理フローチャート。
【図７】本発明の一実施例による動作を説明する割当てテーブルのイメージ図。
【図８】本発明の一実施例による動作を説明するエレベーターホールのイメージ図。
【図９】本発明の一実施例による伝送フォーマット図。
【符号の説明】
１１〜１６…号機制御装置、２１，２２…群管理伝送路、３１，３２…群管理制御装置、３１１…ホール情報収集手段、３１２…ホール呼び登録手段、３１３…受信手段、３１４…かご情報収集手段、３１５…ホール呼びリセット手段、３１６…号機選択手段、３１７…割当てテーブル、３１８…送信手段、４…群管理間通信路、５１，５２，５１１〜５１ｎ，５１１５，５２１５…ホール呼び釦。
【図１】
2004051284.tif 000003
【図２】
2004051284.tif 000004
【図３】
2004051284.tif 000005
【図４】
2004051284.tif 000006
【図５】
2004051284.tif 000007
【図６】
2004051284.tif 000008
【図７】
2004051284.tif 000009
【図８】
2004051284.tif 000010
【図９】
2004051284.tif 000011